(57)【要約】【課題】揉みや押圧動作と牽引動作を交互に首部の筋肉やツボ部に作用させる。【解決手段】首部に圧接される首部押圧部材１と、首部押圧部材が進退可能に載置される基台部材２と、基台部材及び首部押圧部材を相互に連結し首部押圧部材を基台部材に対して一方向に移動させたときに弾性力を付与する弾性力付与部材３を備えた。首部に圧接される首部押圧部材と、首部押圧部材が進退可能に載置される基台部材と首部押圧部材を基台部材に対して移動させたときに弾性力を付与する弾性力付与部材と基台部材に設けられ肩部に当接し弾性力付与部材の弾性力の反力受けとなる肩当り部を備えた。首部に圧接される首部押圧部材と首部押圧部材が進退可能に載置される基台部材と基台部材に沿って進退自在に載置され肩部に当接する肩当り部と肩当り部及び首部押圧部材を相互に弾性的に接離可能に連結する弾性力付与部材を備えた。【選択図】図１
2005058349.tif 000002
【特許請求の範囲】
【請求項１】
首部に圧接される首部押圧部材と、当該首部押圧部材が進退可能に載置される基台部材と、当該基台部材及び前記首部押圧部材を相互に連結し前記首部押圧部材を前記基台部材に対して一方向に移動させたときに弾性力を付与する弾性力付与部材とを備えたことを特徴とする首部のマッサージ装置。
【請求項２】
首部に圧接される首部押圧部材と、当該首部押圧部材が進退可能に載置される基台部材と、当該基台部材及び前記首部押圧部材を相互に連結し前記首部押圧部材を前記基台部材に対して一方向に移動させたときに弾性力を付与する弾性力付与部材と、前記基台部材に設けられ首部を押圧している人の肩部に当接して前記弾性力付与部材の弾性力の反力受けとなる肩当り部とを備えたことを特徴とする首部のマッサージ装置。
【請求項３】
首部に圧接される首部押圧部材と、当該首部押圧部材が進退可能に載置される基台部材と、当該基台部材に沿って進退自在に載置され首部を押圧している人の肩部に当接する肩当り部と、当該肩当り部及び前記首部押圧部材を相互に弾性的に接離可能に連結しこれらを相対移動させたときに弾性力を付与する弾性力付与部材とを備えたことを特徴とする首部のマッサージ装置。
【請求項４】
前記基台部材が前記首部押圧部材の主たる移動方向を含む断面においてほぼ平板形状を呈していることを特徴とする請求項１〜３のいずれかに記載の首部のマッサージ装置。
【請求項５】
前記基台部材が前記首部押圧部材の主たる移動方向を含む断面においてアーチ形状を呈していることを特徴とする請求項１〜３のいずれかに記載の首部のマッサージ装置。
【請求項６】
前記基台部材が前記首部押圧部材の主たる移動方向を含む断面において前記移動方向に傾斜していることを特徴とする請求項１〜３のいずれかに記載の首部のマッサージ装置。
【請求項７】
前記首部押圧部材が首筋の間隔にほぼ対応した間隔で配置された少なくとも２個の凸状部材を備えていることを特徴とする請求項１〜３のいずれかに記載の首部のマッサージ装置。
【請求項８】
前記首部押圧部材が首筋を横断するほぼ棒状の形状を呈した棒状部材を備えていることを特徴とする請求項１〜３のいずれかに記載の首部のマッサージ装置。
【請求項９】
前記首部押圧部材が、首部に圧接される押圧部分と、当該押圧部分が着脱可能に収納されて前記基台部材に載置される収納部分とを備えていることを特徴とする請求項１〜３のいずれかに記載の首部のマッサージ装置。
【請求項１０】
前記収納部分には収納される押圧部分が少なくとも表裏に２種類の首部押圧形状が形成されていることを特徴とする請求項９記載の首部のマッサージ装置。
【請求項１１】
前記２種類の首部押圧形状のうち一つが首筋を押圧するための形状であり他の一つが安息するための枕状の形状であることを特徴とする請求項１０記載の首部のマッサージ装置。
【請求項１２】
前記２種類の首部押圧形状のうち一つが首筋を強く押圧するための強押用押圧形状であり、他の一つが首筋を弱く押圧する弱押用押圧形状であることを特徴とする請求項１０記載の首部のマッサージ装置。
【請求項１３】
前記首部押圧部材又は前記肩当り部の少なくとも一方には人体に伝達すべき振動を発生させるバイブレーター又は人体を温めるための加温装置の少なくとも一つが付設されていることを特徴とする請求項１〜３のいずれかに記載の首部のマッサージ装置。
【発明の詳細な説明】
【技術分野】
【０００１】
本発明は、人体の首部を自力で指圧やマッサージするために使用される首部のマッサージ装置、さらには首部を押圧すると同時に肩部をも指圧やマッサージできる首部のマッサージ装置に関する。
【背景技術】
【０００２】
首は重い脳を支える部分でありしかも神経や血管が微妙なバランスで走行している部分であるので、変形性頸椎症に観られるような頸椎への過度の負担や首の筋肉の硬直化などにより神経の圧迫や脳への血流障害が生ずることがあり、首部の筋肉の凝りや血液の停滞（鬱血）などの諸症状に悩む人は多い。これらの諸症状を緩和するためには日常的に首部を揉んだり引き伸ばしたりするといったケアーをおこなうことが極めて有効である。
【０００３】
人体の首部（特に「天柱」や「風池」などのツボ部）を自力で押圧して凝りや鬱血などを解消するための各種の指圧装置やマッサージ装置が考案され販売されている。かかる指圧装置やマッサージ装置の一例としては、基盤とこの基盤に嵌合固着された上盤とこの上盤に自由な方向に傾動できるように嵌め込まれた上面球状の押圧体とを設けたもの（実公昭５３−３９１１６号公報参照）、基台の長手方向に沿って保持部材が形成され当該保持部材内に一対の指圧子が配置されるとともに当該指圧子の間隔が可変とされたもの（実開昭６３−１８８０２９号公報参照）、前記保持部材の下方にヒーターやバイブレーターや磁石を設けたもの（実開昭６３−１８８０２９号公報参照）などがある。
【０００４】
また、首部を引き伸ばすための牽引枕装置としては、支持台にバネなどの弾性部材を介して枕を取り付け、この弾性部材により枕を人体から遠のく方向に付勢したもの（実開平５−６５３５７号公報参照）などがある。
【特許文献１】実公昭５３−  ３９１１６号公報
【特許文献２】実開昭６３−１８８０２９号公報
【特許文献３】実開平  ５−  ６５３５７号公報
【発明の開示】
【発明が解決しようとする課題】
【０００５】
首部のケアーは首部を押圧したり揉んだりする動作と首部を引き伸ばしたり牽引したりする動作を繰り返して行うことが、凝りや鬱血や神経の圧迫を解消する上で効果的であるが、従来の首部のマッサージ装置や牽引枕装置では押圧する機能と牽引する機能とを別々の装置により達成させているので、首部の揉みや押圧動作と引き伸ばし動作とを交互に繰り返して行おうとすると、その度に体を起こして別の器具装置に頭部（首部）を載せ換えなければならず、非常に煩わしいものである。したがって押圧と牽引との２種類の動作を交互に行うことが有効であることがわかっていてもどちらか一方の動作を連続して行いその後で他方の動作を連続的に行うようになってしまう。
【０００６】
さらに、首部の押圧体の位置は固定であるので、例えば首筋に沿って押圧していこうとした場合には、マッサージ装置を手で首筋に沿って移動させるか体位を変更させなければならず、この面からも煩わしく面倒であった。
【０００７】
また、前記マッサージ装置では首筋の筋肉に沿って両側に位置する前述したようなツボ部を押圧するために２つの突起状の押圧部材を設けるものが一般的であるが、２つの突起状の押圧部材による押圧は症状に応じては適さない場合があり、例えば前記２つの突起状の押圧部材ではなくて枕状の比較的広い面積を有する枕状の部材を首筋のツボ部に当接させて押圧する方が有効である場合がある。突起状のものと枕状のものとを交換して使用できれば上記目的に達するが交換できる用具は提供されていない。
【０００８】
本発明は係る事情に鑑みてなされたもので、本発明の第１の目的は、揉みや押圧動作と引き伸ばし牽引動作とを交互に首部の筋肉やツボ部に作用させることができる首部のマッサージ装置を提供することである。
【０００９】
本発明の第２の目的は、押圧するための部材を押圧やマッサージする動作に連動して自動的に移動させることができる首部のマッサージ装置を提供することである。
【００１０】
本発明の第３の目的は、首部の「天柱」や「風池」などといったツボ部を比較的強く押圧する形状のものと比較的弱く押圧したり単に支持する形状のものとをワンタッチで変更・交換することができる首部のマッサージ装置を提供することである。
【課題を解決するための手段】
【００１１】
本発明の請求項１記載の首部のマッサージ装置は、首部に圧接される首部押圧部材と、当該首部押圧部材が進退可能に載置される基台部材と、当該基台部材及び前記首部押圧部材を相互に連結し前記首部押圧部材を前記基台部材に対して一方向に移動させたときに弾性力を付与する弾性力付与部材とを備えたことを特徴とする。
【００１２】
本発明の請求項２記載の首部のマッサージ装置は、首部に圧接される首部押圧部材と、当該首部押圧部材が進退可能に載置される基台部材と、当該基台部材及び前記首部押圧部材を相互に連結し前記首部押圧部材を前記基台部材に対して一方向に移動させたときに弾性力を付与する弾性力付与部材と、前記基台部材に設けられ首部を押圧している人の肩部に当接して前記弾性力付与部材の弾性力の反力受けとなる肩当り部とを備えたことを特徴とする。
【００１３】
本発明の請求項３記載の首部のマッサージ装置は、首部に圧接される首部押圧部材と、当該首部押圧部材が進退可能に載置される基台部材と、当該基台部材に沿って進退自在に載置され首部を押圧している人の肩部に当接する肩当り部と、当該肩当り部及び前記首部押圧部材を相互に弾性的に接離可能に連結しこれらを相対移動させたときに弾性力を付与する弾性力付与部材とを備えたことを特徴とする。
【００１４】
本発明の請求項４記載の首部のマッサージ装置は、前記基台部材が前記首部押圧部材の主たる移動方向を含む断面においてほぼ平板形状を呈していることを特徴とする。
【００１５】
本発明の請求項５記載の首部のマッサージ装置は、前記基台部材が前記首部押圧部材の主たる移動方向を含む断面においてアーチ形状を呈していることを特徴とする。
【００１６】
本発明の請求項６記載の首部のマッサージ装置は、前記基台部材が前記首部押圧部材の主たる移動方向を含む断面において前記移動方向に傾斜していることを特徴とする。
【００１７】
本発明の請求項７記載の首部のマッサージ装置は、前記首部押圧部材が首筋の間隔にほぼ対応した間隔で配置された少なくとも２個の凸状部材を備えていることを特徴とする。
【００１８】
本発明の請求項８記載の首部のマッサージ装置は、前記首部押圧部材が首筋を横断するほぼ棒状の形状を呈した棒状部材を備えていることを特徴とする。
【００１９】
本発明の請求項９記載の首部のマッサージ装置は、前記首部押圧部材が、首部に圧接される押圧部分と、当該押圧部分が着脱可能に収納されて前記基台部材に載置される収納部分とを備えていることを特徴とする。
【００２０】
本発明の請求項１０記載の首部のマッサージ装置は、前記収納部分に収納される押圧部分には少なくとも表裏に２種類の首部押圧形状が形成されていることを特徴とする。
【００２１】
本発明の請求項１１記載の首部のマッサージ装置は、前記２種類の首部押圧形状のうち一つが首筋を押圧するための形状であり他の一つが安息するための枕状の形状であることを特徴とする。
【００２２】
本発明の請求項１２記載の首部のマッサージ装置は、前記２種類の首部押圧形状のうち一つが首筋を強く押圧するための強押用押圧形状であり、他の一つが首筋を弱く押圧する弱押用押圧形状であることを特徴とする。
【００２３】
本発明の請求項１３記載の首部のマッサージ装置は、前記首部押圧部材又は前記肩当り部の少なくとも一方には人体に伝達すべき振動を発生させるバイブレーター又は人体を温めるための加温装置の少なくとも一つが付設されていることを特徴とする。
【発明の効果】
【００２４】
本発明の請求項１記載の首部のマッサージ装置によれば、弾性力付与部材による弾性力が０の状態で頭部の裏側（俗にいう「盆の窪」）付近に首部押圧部材を当てがい、首を前後左右に振ると荷重が首部押圧部材に作用するとともに弾性力付与部材に作用し、弾性力付与部材を弾性変形させつつ首部押圧部材が初期位置（盆の窪付近）から首筋に沿って移動させられ、この状態では頭部の自重と首振り力とにより首部押圧部材から首筋にほぼ直交する方向に押圧荷重が作用するとともに、弾性力付与部材により首筋にほぼ沿った方向に押圧荷重が作用し、これらの押圧荷重は首筋の指圧やマッサージ効果を発揮するとともに、首筋に沿った押圧荷重は首部の牽引効果をも発揮する。さらに、この状態で、首部押圧部材に押し当てていた頭部を浮かせると、首部押圧部材は弾性力付与部材による弾性力により元の位置に復帰させられ、動力や手などを用いずに繰り返し首筋を押圧や牽引することができ、頭部の浮かせ具合いを調整すれば好みの部位において繰り返して十分に押圧やマッサージなどをすることができる。
【００２５】
本発明の請求項２記載の首部のマッサージ装置によれば、頭部の揺動により首部押圧部材を移動させた際に基台部材に作用する弾性力付与部材の反力が肩当り部を介して首部を押圧している人の肩部に作用し、首筋の押圧などと同時に肩部の押圧やマッサージを行うことができ、非常に好適である。
【００２６】
本発明の請求項３記載の首部のマッサージ装置によれば、頭部の揺動により押圧部材を移動させた際に変形させられた弾性力付与部材の反力が肩当り部に作用し首部を押圧している人の肩部に押圧荷重として作用して首筋の押圧などと同時に肩部の押圧やマッサージを行うことができ、非常に好適である。
【００２７】
本発明の請求項４記載の首部のマッサージ装置によれば、首部押圧部材を平板形状の基台部材に沿って移動させて首部の押圧などを行うことができる。
【００２８】
本発明の請求項５記載の首部のマッサージ装置によれば、押圧部材を移動させた際に移動に伴って首部押圧部材をアーチ形状に応じて上下方向（首筋にほぼ直交する方向）に移動させることができ、首筋の押圧やマッサージを効果的に行うことができる。
【００２９】
本発明の請求項６記載の首部のマッサージ装置によれば、押圧部材を移動させた際に移動に伴って首部押圧部材を傾斜形状に応じて上下方向（首筋にほぼ直交する方向）に移動させることができ、首筋の押圧やマッサージを効果的に行うことができ、好適な押圧などの効果を発揮させることができる。
【００３０】
本発明の請求項７記載の首部のマッサージ装置によれば、少なくとも２個の凸状部材により首筋の両側に沿って位置するツボ部を両側からほぼ均等にかつ効果的に押圧やマッサージすることができる。
【００３１】
本発明の請求項８記載の首部のマッサージ装置によれば、首筋を横断するように配置された棒状部材により首筋の左右のツボ部を同時に又は交互に押圧やマッサージすることができる。
【００３２】
本発明の請求項９記載の首部のマッサージ装置によれば、首部押圧部材のうち押圧部分を収納部分から取り外すことができ、例えばマッサージ装置の収納や運搬の場合に便利であるとともに、その交換が容易であるなどといった利点が生ずる。
【００３３】
本発明の請求項１０記載の首部のマッサージ装置によれば、収納部に収納される押圧部分に少なくとも２種類の押圧形状に応じた少なくとも２種類の用途や効能を発揮させることができる。
【００３４】
本発明の請求項１１記載の首部のマッサージ装置によれば、一側の押圧形状が表側になるように収納部分に収納すれば、押圧やマッサージ用として使用することができ、他側の枕状の形状が表側になるように収納部分に収納すれば、安息用の枕として使用することができる。しかも、弾性力付与部材による弾性力を押圧部分に作用させれば首部の牽引効果をも発揮させることができる。
【００３５】
本発明の請求項１２記載の首部のマッサージ装置によれば、一側の強押用押圧形状が表側になるように収納部分に収納すれば、首筋を強く押圧やマッサージすることができ、他側の弱用押圧形状が表側になるように収納部分に収納すれば、首筋を弱く押圧やマッサージすることができる。
【００３６】
本発明の請求項１３記載の首部のマッサージ装置によれば、バイブレーターや加温装置により単に押圧するだけの場合に比べて効果的な押圧やマッサージを行うことができる。
【発明を実施するための最良の形態】
【００３７】
（第１の実施の形態）
図面を参照して、本発明の第１の実施の形態に係る首部のマッサージ装置について説明する。
【００３８】
本実施の形態の首部のマッサージ装置は、図１（ａ），（ｂ）に示すように、首部に圧接される首部押圧部材１と、首部押圧部材１が進退可能に載置される基台部材２と、基台部材２及び首部押圧部材１を相互に連結し首部押圧部材１を基台部材２上において（ａ）の状態から（ｂ）の状態に移動させたときに弾性力を付与する弾性力付与部材３とを備える。
【００３９】
首部押圧部材１は２個の凸状部材１ａが基台部材２に移動可能に載置された台部１ｂから外方に向けて突出付勢して取り付けられており、凸状部材１ａの先端には半球状の曲面部１ｃが形成されている。凸状部材１ａは台部１ｂ内に内蔵されたバネなどの弾性部材により常時外方に突出付勢されているが、飛び出してしまわないようにストッパー機構が付設されている。したがって、凸状部材１ａを台部１ｂ内に押し込むように押圧変位させると曲面部１ｃを介して押圧荷重が反力として作用する。
【００４０】
基台部材２の両側縁には立壁部２ａが形成され、立壁部２ａ間に首部押圧部材１の台部１ｂが配置されて立壁部２ａ間で台部１ｂの両側面が案内されて一方向に往復移動できる。基台部材２の板面又は首部押圧部材１の台部１ｂの下面の少なくとも一方には基台部材２に対して首部押圧部材１が円滑に移動できるような構造を備えていることが好適である。この構造としては摩擦力が小さくされた合成樹脂シートを板面や下面に張り付けたものや、ロウ質の材料を板面や下面に含浸させたものや、板面や下面にボールベアリングやローラを配置したものなどの構造を採用することができる。
【００４１】
基台部材２の裏面には、滑り止め加工や構造が付加されることが好ましい。これは、後述するように首部押圧部材１を移動させて弾性力付与部材３に引張力を作用させた際にこの弾性力付与部材３から基台部材２に作用する弾性反力によって基台部材２が移動しないようにすることが機能上必要であるからである。なお、使用場所の条件（例えば布団やカーペット上で使用するなどの滑り難い条件）で使用する場合には特別の滑り止め加工や構造を施さなくても使用上問題はない。
【００４２】
弾性力付与部材３は板状のゴム板により形成され、ゴム板の一端は基台部材１の裏面側に回されて基台部材１の裏面に固定され、ゴム板の他端は首部押圧部材１の台部１ｂの一端に固定されている。図１（ａ）は弾性力付与部材３であるゴム板が伸びていない弾性力が０の通常の状態である場合を示し、図１（ｂ）はゴム板が弾性的に伸ばされた状態を示す。なお、弾性力付与部材３として本例ではゴム板を用いたものを例示したが、首部押圧部材１を弾性的に引き寄せる荷重を付与できるものであれば、コイルスプリングや板バネなどの部材を用いてもよく、金属製のコイルスプリングを用いた場合などには弾性力付与部材３の上面側にカバーを取り付けて万が一の場合のために人体の保護を図るようにしてもよい。
【００４３】
本実施の形態の首部のマッサージ装置の使用方法及び作用について説明する。図２（ａ）に示すように、弾性力付与部材３による付勢力が０の状態（図１（ａ）参照）で人間Ｈが横になりその頭部Ｔの裏側部Ｂ（俗にいう「盆の窪」）付近に押圧部材の凸状部材１ａを当てがい、首部Ｋ（頭部Ｔ）を前後左右に振る。これにより、荷重（頭部の自重及及び時首振り時の荷重）が首部押圧部材１の凸状部材１ａに作用して凸状部材１ａが台部１ｂに対して沈み込むように変位し曲面部１ｃを介して押圧荷重が首筋に作用するとともに、図２（ｂ）に示すように、首部押圧部材１に作用する荷重が弾性力付与部材３に作用して弾性力付与部材３を弾性変形させつつ首部押圧部材１が初期位置の盆の窪付近Ｂから首筋に沿って首部Ｋの裏側部Ｕに移動させられる（図１（ｂ）参照）。
【００４４】
初期の状態から図２（ｂ）に示す状態に至る過程では、押圧部材１の凸状部材１ａの曲面部１ｃから頭部Ｔの自重などにより首筋にほぼ直交する方向に押圧荷重が作用するとともに、弾性力付与部材３による首筋にほぼ沿った方向に押圧荷重が作用する。首部押圧部材１の凸状部材１ａによる首筋にほぼ直交する押圧は首筋の指圧やマッサージ効果を発揮する。首筋に沿った押圧荷重は首筋の押圧やマッサージ効果とともに首部Ｋ（頭部Ｔ）の牽引効果をも発揮する。
【００４５】
図２（ｂ）に示す状態で、押圧部材に押し当てていた頭部を浮かせると、首部押圧部材１は弾性力付与部材３による弾性力により元の位置に復帰させられる。このように動力や手などを用いずに又は体位を変更することなく頭部Ｔを前後左右に振ることにより首部押圧部材１の凸状部材１ａにより繰り返して首部（首筋）を押圧や牽引することができる。また、首振り過程において好みの部位において頭部の浮かせ具合と首振りとを調整して首を繰り返して振ることにより特定の部分を十分に押圧することができる。
【００４６】
（第２の実施の形態）
図面を参照して本発明の第２の実施の形態に係る首部のマッサージ装置について説明する。上述の実施の形態に係る首部のマッサージ装置と同一の構成要素には同一符号を付して説明する。
【００４７】
本実施の形態の首部のマッサージ装置は、図３に示すように、基台部材２と首部押圧部材１１と弾性力付与部材３とを備えている。首部押圧部材１１は、首部に圧接される凸状部材１１ａと、凸状部材１１ａが着脱可能に収納され基台部材２に載置された収納部１１ｂとを備える。
【００４８】
凸状部材１１ａには本体部１１ｇの表裏に２種類の首部押圧形状が形成されている。一の首部押圧形状は上述の実施の形態と同様な構造の２個の大押圧部材１１ｃを本体部１１ｇ内に内蔵した弾性部材により外方に向けて弾性的に突出付勢して取り付けたものである。図４に示すように、他の首部押圧形状は首部に対応した曲面状の凹部を備えた曲面部材１１ｄを本体部１１ｇに固定しこの曲面部材１１の凹部に２個の小押圧部材１１ｅを本体部１１ｇ内に内蔵した弾性部材により外方に向けて弾性的に突出付勢して曲面部材１１ｄの凹部に取り付けたものである。大押圧部材１１ｃは首筋を強く押圧する際に使用され、小押圧部材１１ｅは首筋を弱く押圧する際に使用される。
【００４９】
収納部１１ｂは図示するように枠と底板とを備えたもので、基台部材２に移動自在に載置されており、弾性力付与部材３を介して基台部材２に連結されている。枠と底板とにより形成された凹部１１ｆ内には、図５（ａ），（ｂ）に示すように凸状部材１１ａの大押圧部材１１ｃ又は小押圧部材１１ｅが収納される。
【００５０】
図５（ａ）は小押圧部材１１ｅを凹部１１ｆ内に収納した状態を示すもので、本体部１１ｇの周縁部から突出したフランジ部１１ｈが収納部１１ｂの枠上面に当接し小押圧部材１１ｅと底板との間に若干の隙間が形成された状態に保持されている。図５（ｂ）は大押圧部材１１ｃを凹部１１ｆ内に収納した状態を示すもので、大押圧部材１１ｃを底板に当接させてフランジ部１１ｈと枠上面との間に若干の隙間が形成された状態としたものである。図５（ｂ）に示す状態では小押圧部材１１ｅ側から荷重を作用させると大押圧部材１１ｃが本体部１１ｇ内に退入して、枠とフランジ部１１ｈとの間に形成された隙間分だけ本体部１１ｇが上下方向に変位できる。この際大押圧部材１１ｃを突出付勢している本体部１１ｇに内蔵された弾性部材により本体部１１ｇ（ひいては小押圧部材１１ｅ）を上方に弾性的に押し上げる荷重が作用する。首部には小押圧部材１１ｅを突出付勢する弾性力と合わさった荷重を作用させることができる。
【００５１】
なお、図６に本体部１１ｇの厚さが厚い首部押圧部材を収納部に収納した状態を示す。図５と同様な構成要素には同一符号を付して説明を省略する。本体部１１ｇが厚くした分だけ大押圧部材１１ｃを突出付勢する弾性部材の配置や寸法に余裕が生じ強い弾性部材を配置することができ、収納部１１ｂに収納した状態における高さも大きくすることができるので基台部材２の寸法との相互関係で使い勝手の良い首部のマッサージ装置を設計することができる。
【００５２】
（第３の実施の形態）
図７に本発明の第３の実施の形態に係る首部のマッサージ装置を示す。本実施の形態の首部のマッサージ装置は、首部に圧接される首部押圧部材２１と、首部押圧部材２１が進退可能に載置される基台部材２２と、基台部材２２及び首部押圧部材２１を相互に連結し首部押圧部材２１を基台部材２２に対して一方向に移動させたときに弾性力を付与する弾性力付与部材２３と、基台部材２２に設けられ首部を押圧している人の肩部に当接して弾性力付与部材２３の弾性力の反力受けとなる肩当り部２４とを備えて概略構成される。
【００５３】
首部押圧部材２１は、上述の実施の形態に係る首部のマッサージ装置と同様に、２個の凸状部材２１ａを台部２１ｂから弾性的に突出付勢した状態で取り付けたものである。首部押圧部材２１の背面側と基台部材２２の裏面側との間には２本の弾性力付与部材２３としてのゴム板がこれらを相互に連結して配置されている。基台部材２２の板面には首部押圧部材２１の台部２１ｂの幅寸法に相当する幅で平行に立壁部２２ａが形成されている。基台部材２２の裏面には基台部材２２が設置された床面などとの摩擦力を小さくして滑りを良くする加工又は構造が付与されている。
【００５４】
肩当り部２４は、肩に当接する肩当接部２４ａと、この肩当接部２４ａと一体に連接された取付部２４ｂと、この取付部２４ｂを基台部材２２に取り付けるためのねじ部材２４ｃとを備える。肩当接部２４ａには肩部に当接して指圧効果を与える多数の突起部材２４ｄが形成されている。ねじ部材２４ｃは基台部材２２に形成されたねじ穴にねじ込まれており、ねじ部材２４ｃの軸部を回転中心として取付部２４ｂひいては肩当接部２４ａが許容された所定の角度範囲内で揺動可能になっている。この揺動により肩当接部２４ａが人の肩の形状に応じて適切な角度に自動的に揺動して肩当接部２４ａが肩部にほぼ密着した状態で当接する。
【００５５】
次に本実施の形態に係る首部のマッサージ装置の使用方法及び作用について説明する。首部押圧部材２１の凸状部材２１ａに頭部裏面を当接させて頭部を前後左右に振ることにより首部押圧部材２１を弾性力付与部材２３の弾性力に抗して首筋方向に移動させ、首筋に指圧やマッサージや牽引作用を施すことは、上述の実施の形態に係る首部のマッサージ装置と同様である。
【００５６】
ここで、首部押圧部材２１が移動することにより弾性力付与部材２３が伸ばされて弾性力が首部押圧部材２１及び基台部材２２に作用すると、基台部材２２の裏面には上述したように滑りを良くする加工などが施されているので、弾性力付与部材２３の弾性力により基台部材２２が移動する。この結果、基台部材２２に取り付けられている肩当り部２４の肩当接部２４ａが首部を押圧している人の肩部に当接するとともにねじ部材２４ｃを中心として揺動して肩部にフィットし、弾性力付与部材２３の弾性力（弾性反力）が肩部に作用し、多数の突起部材２４ｄにより指圧効果が発揮されられる。
【００５７】
（第４の実施の形態）
図８に本発明の第４の実施の形態に係る首部のマッサージ装置を示す。本実施の形態の首部のマッサージ装置は、首部に圧接される首部押圧部材３１と、首部押圧部材３１が進退可能に載置される基台部材３２と、基台部材３２に沿って進退自在に載置され首部を押圧している人の肩部に当接する肩当り部３４と、肩当り部３４及び首部押圧部材３１を相互に弾性的に接離可能に連結し相対移動させたときに弾性力を付与する弾性力付与部材３３とを備えて概略構成される。
【００５８】
首部押圧部材３１は、上述の実施の形態に係る首部のマッサージ装置と同様に、２個の凸状部材３１ａを台部３１ｂから弾性的に突出付勢した状態で取り付けたものである。基台部材３２の板面には首部押圧部材３１の台部３１ｂの幅寸法に相当する幅で平行に立壁部３２ａが形成されている。
【００５９】
肩当り部３４には、肩に当接する肩当接部３４ａの内側に肩部に当接して指圧効果を与える多数の突起部材３４ｄが形成されている。突起部材３４ｄとしては、前記突起部材２４ｄと同様な板状形状のものを図示したが、首押圧部材３１の移動に伴って肩当り部３４が肩部に沿って円滑に移動できるように、肩部との引っ掛かりが少ない、例えば多数の高さの低い半球状の突起部材にしてもよいし、肩当接部３４ａの内面に肩部との引っ掛かりとなるような突起部材３４ｄを全く設けられていない平滑面状のものであってもよい。なお、肩当接部３４ａ内にバイブレーターを内蔵させ、バイブレーターの振動により肩当接部３４ａを肩部に沿って円滑に移動可能としたものであってもよい。
【００６０】
弾性力付与部材３３はアーチ形状に多少湾曲させた板バネから構成され、その基端部は首部押圧部材３１に側面に埋設されて固定され、その先端部は肩当接部２４ａの背面側に固定されている。また、弾性力付与部材３３は基台部材３２の立壁部３２ａと干渉しないように立壁部３２ａの少し上方に位置するように固定されている。首部押圧部材３１、肩当り部３４、弾性力付与部材３３は一体となって基台部材３２上をその立壁部３２ａにそって移動可能となっている。
【００６１】
次に本実施の形態に係る首部のマッサージ装置の使用方法及び作用について説明する。首部押圧部材３１の凸状部材３１ａを頭部裏面に当接させて頭部を前後左右に振ることにより首部押圧部材３１を弾性力付与部材３３の弾性力に抗して首筋方向に移動させ、首筋に指圧やマッサージや牽引作用を施すことは上述の各実施の形態に係る首部のマッサージ装置と同様である。
【００６２】
ここで、首部押圧部材３１が移動すると弾性力付与部材３３が撓まされ弾性的な弾性力が首部押圧部材３１及び肩当り部３４に作用する。この結果、肩当り部３４の肩当接部３４ａが首部を押圧している人の肩部に向けて移動して当接し弾性力付与部材３３の捩れなどにより肩当り部３４が揺動して肩部にフィットし、弾性力付与部材２３の弾性力（弾性反力）が肩部に作用して、多数の突起部材３４ｄにより指圧効果が発揮される。首部押圧部材３１の移動に伴って肩当り部３４が肩部に沿って移動させられ、肩部のマッサージ効果が発揮させられる。なお、肩当接部３４ａにバイブレーターを内蔵させたものでは肩当り部３４の移動をバイブレーターの振動により円滑に行わせることができるとともに、バイブレーターの振動が弾性力付与部材３３を介して首部押圧部材３１に伝達され、凸状部材３１ａから首部に伝達され押圧やマッサージ効果を有効に発揮させることができる。
【００６３】
この実施の形態の首部のマッサージ装置では基台部材３２を設置場所から移動させなくても肩当り部３４を肩部に向けて移動させることができるので、布団の上やカーペットなどの摩擦力が大きい場所に本マッサージ装置を設置した場合においても、首部押圧部材３１の移動に伴った弾性力付与部材３３の弾性反力を肩部に有効にかつ確実に与えることができる。
【００６４】
なお、本実施の形態では肩当り部３４の肩当接部２４ａの裏面に弾性力付与部材３３の先端を直接取り付けるようにしているが、肩当接部２４ａの裏側にヒンジ部材（傾動機構）を取り付け、このヒンジ部材に弾性力付与部材３３の先端を連結して、弾性力付与部材３３の変形や肩当接部２４ａの肩部に密着した際にヒンジ部材の機構により弾性力付与部材３３の取付け部分に無理がかからないようにしてもよい。
【００６５】
（第５の実施の形態）
図９（ａ）に本発明の第５の実施の形態に係る首部のマッサージ装置について示す。上述の実施の形態に係る首部のマッサージ装置における各基台部材は、首部押圧部材の主たる移動方向を含む断面においてほぼ平板形状を呈していたが、本実施の形態に係る首部のマッサージ装置では、図示するように基台部材４２が首部押圧部材４１の主たる移動方向を含む断面においてアーチ形状を呈している。この首部のマッサージ装置によれば、首部押圧部材４１の移動に伴って首押圧部材４１がアーチ形状に応じた上下方向（首筋にほぼ直交する方向）に移動させられ、首筋を効果的に押圧やマッサージすることができる。
【００６６】
（第６の実施の形態）
図９（ｂ）に本発明の第６の実施の形態に係る首部のマッサージ装置について示す。本実施の形態に係る首部のマッサージ装置では、図示するように基台部材５２が首部押圧部材５２の主たる移動方向を含む断面においてその移動方向に傾斜した構造となっている。図示したものでは、頭部側から首側に向けて高さが高くなるように傾斜しているが、この逆向きに傾斜するものであってもよい。この首部のマッサージ装置によれば、首部押圧部材５１の移動に伴って押圧部材５１が傾斜形状に応じた上下方向（首筋にほぼ直交方向）に移動させられ、首筋を効果的に押圧やマッサージすることができる。
【００６７】
（第７の実施の形態）
図１０に本発明の第７の実施の形態に係る首部のマッサージ装置について示す。上述した首部のマッサージ装置では、２個の首部押圧部材が首筋の間隔にほぼ対応した間隔で配置されていたが、本実施の形態に係る首部のマッサージ装置では、首部押圧部材６１が首筋を横断するほぼ棒状の凸状部材６１ａを台部６１ｂに上下方向に突出付勢して取り付けたものである。この首部のマッサージ装置によれば、首部を左右に振ることにより首筋を横断する凸状部材６１ａにより首筋の左右のツボ部を交互に押圧やマッサージすることができる。
【００６８】
（第８の実施の形態）
図１１に本発明の第８の実施の形態に係る首部のマッサージ装置について示す。本実施の形態に係る首部のマッサージ装置は、首部押圧部材７１の表裏に２種類の形状の首部押圧形状が形成されたものであり、そのうち一つが前記実施の形態と同様な首筋を押圧する２個の凸状部材７１ｃであり、他の一つが安息するために形成された枕状形状７１ｄである。この首部のマッサージ装置によれば、一側の凸状部材７１ａが表側になるように収納部７１ｂに収納すれば、押圧やマッサージ用として使用することができ、他側の枕状形状７１ｄが表側になるように収納部７１ｂに収納すれば、安息用の枕として使用することができる。しかも、この枕状形状７１ｄによっても弾性力付与部材３による弾性力を首部に作用させる牽引効果をもたせることもできる。
【００６９】
（第９の実施の形態）
本発明の第９の実施の形態に係る首部マッサージ装置としては、上述の各実施の形態における首部押圧部材又は前記肩当り部の少なくとも一方には人体に伝達すべき振動を発生させるバイブレーター又は人体の押圧部分を加温する加温装置の少なくとも一つが付設されているものであってもよい。
【図面の簡単な説明】
【００７０】
【図１】本発明の実施の形態に係る首部のマッサージ装置を示す図である。
【図２】本発明の実施の形態に係る首部のマッサージ装置の使用方法及び作用を示す図である。
【図３】本発明の実施の形態に係る首部のマッサージ装置を示す図である。
【図４】本発明の実施の形態に係る首部のマッサージ装置を示す図である。
【図５】本発明の実施の形態に係る首部のマッサージ装置を示す図である
【図６】本発明の実施の形態に係る首部のマッサージ装置を示す図である。
【図７】本発明の実施の形態に係る首部のマッサージ装置を示す図である。
【図８】本発明の実施の形態に係る首部のマッサージ装置を示す図である。
【図９】本発明の実施の形態に係る首部のマッサージ装置を示す図である。
【図１０】本発明の実施の形態に係る首部のマッサージ装置を示す図である。
【図１１】本発明の実施の形態に係る首部のマッサージ装置を示す図である。
【符号の説明】
【００７１】
１，１１，２１，３１，４１，５１，６１，７１    首部押圧部材
１ａ，１１ａ，２１ａ，３１ａ，６１ａ，７１ａ    凸状部材
１ｂ，２１ｂ，３１ｂ，６１ｂ    台部
２，２２，３２，４２，５２    基台部材
３，２３，３３    弾性力付与部材
１１ｂ，７１ｂ    収納部
１１ｃ，７１ｃ    大押圧部材
１１ｄ，７１ｄ    曲面部材
１１ｅ    小押圧部材
２４，３４    肩当り部
７１ｄ    枕状形状
Ｂ    頭部の裏側部
Ｈ    人間
Ｋ    首部
Ｔ    頭部
Ｕ    首部の裏側部
【図１】
2005058349.tif 000003
【図２】
2005058349.tif 000004
【図３】
2005058349.tif 000005
【図４】
2005058349.tif 000006
【図５】
2005058349.tif 000007
【図６】
2005058349.tif 000008
【図７】
2005058349.tif 000009
【図８】
2005058349.tif 000010
【図９】
2005058349.tif 000011
【図１０】
2005058349.tif 000012
【図１１】
2005058349.tif 000013